(57)【要約】【課題】送信側の二次電池の電圧が所定の電圧以下になった後に電圧が復帰したことを受信側で検出することができる情報計測装置、電子機器、情報計測方法および電子機器の制御方法を提供することを目的とする。【解決手段】情報計測装置は、電子機器と通信する情報計測装置であって、電子機器と通信を行う第１通信部と、発電素子と、発電素子によって発電された電力によって充電される二次電池と、二次電池の充放電特性が記憶されている第１記憶部と、二次電池の電圧値を検出する電圧検出部と、検出された二次電池の電圧値と、第１記憶部に記憶されている充放電特性とに基づいて、二次電池の満充電状態から放電を開始した場合の経過時間を算出し、算出した経過時間を示す情報を第１通信部から電子機器に送信するように制御する第１制御部と、を備える。【選択図】図１
2016134995.tif 000002
【特許請求の範囲】
【請求項１】
電子機器と通信する情報計測装置であって、
前記電子機器と通信を行う第１通信部と、
発電素子と、
前記発電素子によって発電された電力によって充電される二次電池と、
前記二次電池の充放電特性が記憶されている第１記憶部と、
前記二次電池の電圧値を検出する電圧検出部と、
検出された前記二次電池の電圧値と、前記第１記憶部に記憶されている前記充放電特性とに基づいて、前記二次電池の満充電状態から放電を開始した場合の経過時間を算出し、算出した前記経過時間を示す情報を前記第１通信部から前記電子機器に送信するように制御する第１制御部と、
を備える情報計測装置。
【請求項２】
前記充放電特性は、
前記二次電池の電圧値と容量との関係を表した特性である請求項１に記載の情報計測装置。
【請求項３】
前記第１記憶部には、
前記情報計測装置の消費電流を示す値が記憶され、
前記第１制御部は、
検出された前記二次電池の電圧値と、前記第１記憶部に記憶されている前記充放電特性とに基づいて、前記二次電池の容量を算出し、算出した前記二次電池の容量を前記第１記憶部に記憶されている前記消費電流で除算して前記経過時間を算出する請求項２に記載の情報計測装置。
【請求項４】
前記第１記憶部には、
前記情報計測装置を識別するための識別情報が記憶され、
前記第１制御部は、
前記経過時間を示す情報と、前記第１記憶部に記憶されている前記識別情報とを関連付けた情報を前記第１通信部から前記電子機器に送信するように制御する請求項１から請求項３のいずれか１項に記載の情報計測装置。
【請求項５】
請求項１から請求項４のいずれか１項の情報計測装置と通信する電子機器であって、
前記情報計測装置の消費電流を示す値が記憶されている第２記憶部と、
前記情報計測装置と通信を行う第２通信部と、
前記第２通信部を介して受信した前記経過時間を示す情報と、前記第２記憶部に記憶されている前記情報計測装置の消費電流を示す値とに基づいて、前記情報計測装置が備える前記二次電池の残量を算出し、算出した前記二次電池の残量を報知する第２制御部と、
を備える電子機器。
【請求項６】
前記第２記憶部には、
前記経過時間を示す情報として、前記二次電池の満充電状態から放電を開始した場合の経過時間を送信する前記情報計測装置の識別情報が記憶され、
前記第２制御部は、
前記第２通信部を介して受信した情報から前記情報計測装置を識別するための識別情報を抽出し、抽出した前記識別情報が前記第２記憶部に記憶されている場合、前記第２通信部を介して受信した情報に含まれる経過時間を示す情報を、前記二次電池の満充電状態から放電を開始した場合の経過時間を示す情報として決定する請求項５に記載の電子機器。
【請求項７】
前記第２通信部を介して受信した情報に含まれる経過時間を送信する第１の前記情報計測装置と、一次電池が交換されてからの経過時間を送信する第２の情報計測装置とのいずれかと通信する電子機器であって、
前記第２の情報計測装置は、
前記電子機器と通信を行う第３通信部と、
前記第２の情報計測装置を識別するための識別情報が記憶されている第３記憶部と、
前記一次電池と、
前記一次電池が交換されてからの時間を計測するカウンタ部と、
前記カウンタ部によって計測されたカウント値に基づいて、前記一次電池が交換されてからの経過時間を算出し、算出した前記経過時間を示す情報を前記第３通信部から前記電子機器に送信するように制御する第３制御部と、
を備え、
前記第２制御部は、
前記第２通信部を介して受信した情報から前記情報計測装置を識別するための識別情報を抽出し、抽出した前記識別情報が前記第２記憶部に記憶されていない場合、前記第２通信部を介して受信した情報に含まれる経過時間を示す情報を、一次電池が交換されてからの経過時間を示す情報として決定する請求項６に記載の電子機器。
【請求項８】
発電素子と、前記発電素子によって発電された電力によって充電される二次電池と、前記二次電池の充放電特性が記憶されている第１記憶部と、を有し、電子機器と通信する情報計測装置における情報計測方法であって、
第１通信部が、前記電子機器と通信を行う第１通信手順と、
電圧検出部が、前記二次電池の電圧値を検出する電圧検出手順と、
第１制御部が、電圧検出手順によって検出された前記二次電池の電圧値と、前記第１記憶部に記憶されている前記充放電特性とに基づいて、前記二次電池の満充電状態から放電を開始した場合の経過時間を算出する算出手順と、
前記第１制御部が、前記算出手順によって算出された前記経過時間を示す情報を前記第１通信部から前記電子機器に送信するように制御する第１制御手順と、
を含む情報計測方法。
【請求項９】
情報計測装置の消費電流を示す値が記憶されている第２記憶部を備え、前記情報計測装置と通信する電子機器であって、
第２通信部が、前記情報計測装置から二次電池の満充電状態から放電を開始した場合の経過時間を示す情報を受信する第２通信手順と、
第２制御部が、前記第２通信手順によって受信された前記経過時間を示す情報と、前記第２記憶部に記憶されている前記情報計測装置の消費電流を示す値とに基づいて、前記情報計測装置が備える前記二次電池の残量を算出する算出手順と、
前記第２制御部が、前記算出手順によって算出された前記二次電池の残量を報知する第２制御手順と、
を含む電子機器の制御方法。
【発明の詳細な説明】
【技術分野】
【０００１】
本発明は、情報計測装置、電子機器、情報計測方法および電子機器の制御方法に関する。
【背景技術】
【０００２】
送信部が、心拍の間隔を示す心電間隔データに第二情報データを結合して、結合した両データをシリアルデータとして受信部に送信する心拍計が提案されている。ここで、第二情報とは、走行ピッチ、総歩行数、送信部の電圧の低下を通知する情報である（例えば、特許文献１参照）。ただし、特許文献１には、第二情報検出手段が送信部の電圧の低下をどのように検出するかは記載されていない。
【０００３】
また、二次電池の電力を負荷に供給する電力供給システムが提案されている。この電力供給システムでは、二次電池が充放電を行っていない待機状態にある場合に、二次電池の温度の測定値の情報を基に二次電池の残存容量及び残存寿命を算出する。また、電力供給システムでは、二次電池が放電状態にある場合に、二次電池からの放電電流の測定値の情報を基に二次電池の残存容量を算出する。また、電力供給システムでは、二次電池が充電状態にある場合に、二次電池への充電電流の測定値の情報を基に二次電池の残存容量を算出する。そして、電力供給システムでは、負荷に流れる電流についての負荷電流パターンに沿った放電を仮定して算出した放電電気量が二次電池の容量と等しくなるまでの時間を二次電池の放電持続可能時間として算出する。また、この電力供給システムでは、二次電池の電圧を監視し、所定の範囲を超えた電圧を検知すると、二次電池の充電または放電を停止する（例えば、特許文献２参照）。
【０００４】
予測した現在時の電池電圧に基づいて電池交換時期を報知するワイヤレスリモコンが提案されている。このワイヤレスリモコンでは、経過時間カウンタが電池交換後の経過時間をカウントし、送信回数カウンタが電池交換後の信号送信回数をカウントし、これらカウンタの出力に基づき電池電圧を予測する（例えば、特許文献３参照）。
【０００５】
また、従来から、利用者の運動中の生体情報を取得する情報計測システムがある。例えば、心拍計と表示装置とを有する情報計測システムがある。心拍計は、利用者の胸にベルトで装着されて使用され、計測した心拍数を表す情報を表示装置へ無線で送信する。表示装置は、心拍計が送信した心拍数を表す情報を受信し、受信した情報に基づいて心拍数を表示する。表示装置は、例えば腕時計であり、利用者の腕に装着して使用される。利用者は、表示装置の表示部に表示される心拍数を見て、自分の運動状態を確認する（例えば、非特許文献１参照）。
【０００６】
送信部と受信部との通信では、各種の通信方式が提案されている。通信方式によっては、送信側の電源として一次電池が想定され、この一次電池が交換されてからの累積経過時間を送信部から受信部へ送信するものがある。受信部は、例えば、受信した累積経過時間に基づいて、電池の交換時期を推定する。
【先行技術文献】
【特許文献】
【０００７】
【特許文献１】再公表ＷＯ９６／２９００５号公報
【特許文献２】特開２００７−１７８４０１号公報
【特許文献３】特開平６−３１１５５８号公報
【非特許文献】
【０００８】
【非特許文献１】“＜アシックスランニングウオッチ＞走行中のハートレート（心拍数）からトレーニングに最適なペースがわかる新モデルを発売”、［ｏｎｌｉｎｅ］、プレスリリース、２０１３．４．１２、［平成２６年１１月７日検索］、インターネット、＜URL:http://www3.sii.co.jp/jp/2013/page/2/2013/04/12/3370/＞
【発明の概要】
【発明が解決しようとする課題】
【０００９】
特許文献２に記載の技術では、監視した二次電池の電圧が、所定の電圧以下になると交流電源の交流電流を整流した電流を用いて充電を開始しているため、二次電池が所定の電圧以下にならない。しかしながら、送信部に太陽電池と二次電池とを搭載した場合、太陽電池による発電量と、負荷による消費電力によって電池残量が変動する。そして、太陽電池による発電量が消費電力を下回っている場合、二次電池が所定の電圧以下になり、その後、電圧が復活した状態を検出できない。
また、特許文献１に記載の技術では、一次電池の使用が想定されているため、二次電池が所定の電圧以下になり、その後、電圧が復活した状態を検出できない。
さらに、非特許文献１に記載の技術も、心拍計に使用する電池として一次電池の使用が想定されているため、二次電池が所定の電圧以下になり、その後、電圧が復活した状態を検出できない。
【００１０】
本発明は、上記の問題点に鑑みてなされたものであって、送信側の二次電池の電圧が所定の電圧以下になった後に電圧が復帰したことを受信側で検出することができる情報計測装置、電子機器、情報計測方法および電子機器の制御方法を提供することを目的とする。
【課題を解決するための手段】
【００１１】
（１）上記目的を達成するため、本発明の一態様に係る情報計測装置は、電子機器と通信する情報計測装置であって、前記電子機器と通信を行う第１通信部と、発電素子と、前記発電素子によって発電された電力によって充電される二次電池と、前記二次電池の充放電特性が記憶されている第１記憶部と、前記二次電池の電圧値を検出する電圧検出部と、検出された前記二次電池の電圧値と、前記第１記憶部に記憶されている前記充放電特性とに基づいて、前記二次電池の満充電状態から放電を開始した場合の経過時間を算出し、算出した前記経過時間を示す情報を前記第１通信部から前記電子機器に送信するように制御する第１制御部と、を備える。
【００１２】
（２）また、本発明の一態様に係る情報計測装置において、前記充放電特性は、前記二次電池の電圧値と容量との関係を表した特性であるようにしてもよい。
【００１３】
（３）また、本発明の一態様に係る情報計測装置において、前記第１記憶部には、前記情報計測装置の消費電流を示す値が記憶され、前記第１制御部は、検出された前記二次電池の電圧値と、前記第１記憶部に記憶されている前記充放電特性とに基づいて、前記二次電池の容量を算出し、算出した前記二次電池の容量を前記第１記憶部に記憶されている前記消費電流で除算して前記経過時間を算出するようにしてもよい。
【００１４】
（４）また、本発明の一態様に係る情報計測装置において、前記第１記憶部には、前記情報計測装置を識別するための識別情報が記憶され、前記第１制御部は、前記経過時間を示す情報と、前記第１記憶部に記憶されている前記識別情報とを関連付けた情報を前記第１通信部から前記電子機器に送信するように制御するようにしてもよい。
【００１５】
（５）上記目的を達成するため、本発明の一態様に係る電子機器は、（１）から（４）のいずれか１つの情報計測装置と通信する電子機器は、前記情報計測装置の消費電流を示す値が記憶されている第２記憶部と、前記情報計測装置と通信を行う第２通信部と、前記第２通信部を介して受信した前記経過時間を示す情報と、前記第２記憶部に記憶されている前記情報計測装置の消費電流を示す値とに基づいて、前記情報計測装置が備える前記二次電池の残量を算出し、算出した前記二次電池の残量を報知する第２制御部と、を備える。
【００１６】
（６）また、本発明の一態様に係る電子機器において、前記第２記憶部には、前記経過時間を示す情報として、前記二次電池の満充電状態から放電を開始した場合の経過時間を送信する前記情報計測装置の識別情報が記憶され、前記第２制御部は、前記第２通信部を介して受信した情報から前記情報計測装置を識別するための識別情報を抽出し、抽出した前記識別情報が前記第２記憶部に記憶されている場合、前記第２通信部を介して受信した情報に含まれる経過時間を示す情報を、前記二次電池の満充電状態から放電を開始した場合の経過時間を示す情報として決定するようにしてもよい。
【００１７】
（７）また、本発明の一態様に係る電子機器において、前記第２通信部を介して受信した情報に含まれる経過時間を送信する第１の前記情報計測装置と、一次電池が交換されてからの経過時間を送信する第２の情報計測装置とのいずれかと通信する電子機器であって、前記第２の情報計測装置は、前記電子機器と通信を行う第３通信部と、前記第２の情報計測装置を識別するための識別情報が記憶されている第３記憶部と、前記一次電池と、前記一次電池が交換されてからの時間を計測するカウンタ部と、前記カウンタ部によって計測されたカウント値に基づいて、前記一次電池が交換されてからの経過時間を算出し、算出した前記経過時間を示す情報を前記第３通信部から前記電子機器に送信するように制御する第３制御部と、を備え、前記第２制御部は、前記第２通信部を介して受信した情報から前記情報計測装置を識別するための識別情報を抽出し、抽出した前記識別情報が前記第２記憶部に記憶されていない場合、前記第２通信部を介して受信した情報に含まれる経過時間を示す情報を、一次電池が交換されてからの経過時間を示す情報として決定するようにしてもよい。
【００１８】
（８）上記目的を達成するため、本発明の一態様に係る情報計測方法は、発電素子と、前記発電素子によって発電された電力によって充電される二次電池と、前記二次電池の充放電特性が記憶されている第１記憶部と、を有し、電子機器と通信する情報計測装置における情報計測方法であって、第１通信部が、前記電子機器と通信を行う第１通信手順と、電圧検出部が、前記二次電池の電圧値を検出する電圧検出手順と、第１制御部が、電圧検出手順によって検出された前記二次電池の電圧値と、前記第１記憶部に記憶されている前記充放電特性とに基づいて、前記二次電池の満充電状態から放電を開始した場合の経過時間を算出する算出手順と、前記第１制御部が、前記算出手順によって算出された前記経過時間を示す情報を前記第１通信部から前記電子機器に送信するように制御する第１制御手順と、を含む。
【００１９】
（９）上記目的を達成するため、本発明の一態様に係る電子機器の制御方法は、情報計測装置の消費電流を示す値が記憶されている第２記憶部を備え、前記情報計測装置と通信する電子機器の制御方法であって、第２通信部が、前記情報計測装置から二次電池の満充電状態から放電を開始した場合の経過時間を示す情報を受信する第２通信手順と、第２制御部が、前記第２通信手順によって受信された前記経過時間を示す情報と、前記第２記憶部に記憶されている前記情報計測装置の消費電流を示す値とに基づいて、前記情報計測装置が備える前記二次電池の残量を算出する算出手順と、前記第２制御部が、前記算出手順によって算出された前記二次電池の残量を報知する第２制御手順と、を含む。
【発明の効果】
【００２０】
本発明によれば、送信側の二次電池の電圧が所定の電圧以下になった後に電圧が復帰したことを受信側で検出することができる。
【図面の簡単な説明】
【００２１】
【図１】第１実施形態に係る情報計測装置と電子機器とを含んだ心拍計測システムの構成を示すブロック図である。
【図２】第１実施形態に係る心拍計測装置の外観の一例を示す図である。
【図３】第１実施形態に係る電子時計の外観の一例を示す図である。
【図４】第１実施形態に係る心拍計測装置の記憶部に記憶される二次電池の充放電特性の一例を示す図である。
【図５】第１実施形態に係る充放電制御部の構成を示すブロック図である。
【図６】第１実施形態に係る心拍計測装置の動作処理の手順のフローチャートである。
【図７】第１実施形態に係る電子時計の記憶部に記憶される心拍計測装置の二次電池の充放電特性の一例を示す図である。
【図８】第２実施形態に係る２つの情報計測装置と電子機器とを含んだ心拍計測システムの構成を示すブロック図である。
【図９】本実施形態に係る電子時計の動作処理の手順のフローチャートである。
【発明を実施するための形態】
【００２２】
＜第１実施形態＞
以下、本発明の第１実施形態について図面を参照しながら説明する。なお、以下の例では、生体情報検出装置の一例として、心拍計測システムを例に説明する。
【００２３】
図１は、本実施形態に係る情報計測装置と電子機器とを含んだ心拍計測システム１の構成を示すブロック図である。本実施形態では、情報計測装置の一例として、心拍計測装置１００を例に説明する。また、心拍計測システム１において、情報計測装置と通信する電子機器の例として、電子時計２００を例に説明する。なお、電子機器は、例えば、スマートフォン、タブレット端末、携帯ゲーム機器等であってもよい。
【００２４】
心拍計測システム１は、心拍計測装置１００、および電子時計２００で構成される。心拍計測装置１００は、電子時計２００へ情報３００の送信を行う。なお、本実施形態では、通信方式として、２．４［ＧＨｚ］帯を用いるＡＮＴまたはＡＮＴ＋規格の通信方式を例に説明する。ＡＮＴおよびＡＮＴ＋は、Ｄｙｎａｓｔｒｅａｍ  Ｉｎｎｏｖａｔｉｏｎｓ社が提唱するワイヤレス通信ソリューションとプロトコルであり、送信側の装置から情報を送信する単方向の通信が可能な通信方式である。
【００２５】
図２は、本実施形態に係る心拍計測装置１００の外観の一例を示す図である。図２に示すように、心拍計測装置１００は、利用者の胸部の全周に亘って装着されるように略環状に形成されている。心拍計測装置１００は、利用者の胸部にベルト１７０によって装着され、一対の電極を身体の胸部（生体表面）に接触させることにより、心臓の鼓動に伴って発生する心電信号を検出し、検出した心電信号に基づいて心拍数を算出する。
【００２６】
図３は、本実施形態に係る電子時計２００の外観の一例を示す図である。図３に示すように、電子時計２００は、例えば腕時計型のものであって、利用者の手首（腕）にベルト２７０によって装着される。電子時計２００は、利用者の手首の全周に亘って装着されるように略環状に形成されている。
【００２７】
図１に戻って、心拍計測装置１００の説明を続ける。
図１に示すように、心拍計測装置１００は、太陽電池１１０、充放電制御部１２０、二次電池１３０、計測部１４０、通信部１５０およびアンテナ１６０を備える。計測部１４０は、電極１４１、電極１４２、装着検出部１４３、心拍検出部１４４、制御部１４５、記憶部１４６、およびカウンタ部１４７を含んで構成されている。
【００２８】
太陽電池１１０は、受光した光のエネルギーを電力に変換し、変換した電力を充放電制御部１２０に出力する。
充放電制御部１２０は、太陽電池１１０で発電された電力の二次電池１３０への充電を行う制御を行う。また、充放電制御部１２０は、二次電池１３０の電圧値を検出し、電圧値が所定の電圧以上になった場合、二次電池１３０の放電を行う制御を行う。また、充放電制御部１２０は、二次電池１３０の電圧値を検出し、検出した電圧値を示す情報を計測部１４０に出力する。なお、充放電制御部１２０の構成については、後述する。
【００２９】
二次電池１３０には、太陽電池１１０で発電された電力が、充放電制御部１２０の制御によって充電される。二次電池１３０は、蓄電された電力を装着検出部１４３、心拍検出部１４４、制御部１４５、カウンタ部１４７、および通信部１５０に電力を供給する。
【００３０】
電極１４１と電極１４２とは、一対の電極であり、心臓の鼓動に伴って発生する心電信号を検出する。電極１４１には、装着検出部１４３から電力が供給される。電極１４２は、接地されている。利用者が心拍計測装置１００を胸部に装着すると、電極１４１と電極１４２との間に皮膚抵抗ＲＨが形成され、この皮膚抵抗ＲＨに応じた電流が電極１４１と電極１４２との間に流れる。
【００３１】
装着検出部１４３は、電極１４１と電極１４２との間に流れる電流に基づく電圧により、利用者が心拍計測装置１００を装着したか否かを検出し、検出した結果を示す装着検出信号を制御部１４５に出力する。
心拍検出部１４４は、電極１４１と電極１４２とが検出した心電信号を増幅し、増幅した心電信号を制御部１４５に出力する。
【００３２】
制御部１４５は、装着検出部１４３から入力された装着検出信号に基づいて、心拍計測装置１００が利用者の胸部に装着されている状態（以下、装着状態という）であるか否かを検出する。なお、心拍計測装置１００が利用者の胸部に装着されていない状態を非装着状態という。制御部１４５は、装着状態が検出されたとき、当該制御部１４５および通信部１５０をスリープ状態から復帰するように制御する。なお、スリープ状態とは、省電力で動作する状態である。制御部１４５は、装着状態が検出されている間、心拍検出部１４４から出力される心電信号のパルス間隔に応じて心拍数を算出する。また、心電信号のパルス間隔とは、例えば心電信号のピーク間（Ｒ波）の間隔である。制御部１４５は、装着状態が検出されている間、算出した心拍数を示す情報を通信部１５０へ出力する。
【００３３】
また、制御部１４５は、装着状態が検出されている間、充放電制御部１２０から入力される二次電池１３０の電圧値を示す情報を、所定の時間間隔毎に取得する。制御部１４５は、取得した二次電池１３０の電圧値を示す情報と、記憶部１４６に記憶されている二次電池１３０の充放電特性とに基づき、二次電池１３０の満充電状態から放電を開始した場合の経過時間を算出する。二次電池１３０の満充電状態から放電を開始した場合の経過時間の算出方法については、後述する。制御部１４５は、算出した二次電池１３０の満充電状態から放電を開始した場合の経過時間を示す情報を、通信部１５０に出力する。
【００３４】
さらに、制御部１４５は、カウンタ部１４７のカウント値を用いて所定の時間以上、心拍計測装置１００の非装着状態が継続したことを検出した場合、当該制御部１４５、通信部１５０がスリープ状態になるように制御する。
また、制御部１４５は、記憶部１４６に記憶されている心拍計測装置１００の識別情報を通信部１５０に出力する。ここで、識別情報とは、心拍計測装置１００の製品の型番、製造者識別子（ＩＤ）、およびハードウェアバージョンにうちの少なくとも１つの情報である。制御部１４５は、算出した心拍数を示す情報、二次電池１３０の満充電状態から放電を開始した場合の経過時間を示す情報、および識別情報を関連づけた情報３００を、所定の時間間隔毎に通信部１５０を制御して、電子時計２００に送信する。
また、制御部１４５は、充放電制御部１２０から強制リセット信号が入力された場合、カウンタ部１４７のカウント値をリセットする。
【００３５】
カウンタ部１４７は、二次電池１３０から電力が供給開始されたとき、カウントを開始し、カウントした値を示す情報を制御部１４５に出力する。
記憶部１４６には、二次電池１３０の充放電特性を示す情報、および二次電池１３０電力を供給する負荷の消費電流を示す情報が記憶されている。また、記憶部１４６には、心拍計測装置１００の製品の型番、製造者識別子（ＩＤ）、およびハードウェアバージョン等が関連づけられて記憶されている。
【００３６】
図４は、本実施形態に係る心拍計測装置１００の記憶部１４６に記憶される二次電池１３０の充放電特性の一例を示す図である。図４において、横軸は二次電池１３０の容量［ｍＡｈ］、縦軸は二次電池１３０の電圧値［Ｖ］である。曲線ｇ１０１は、二次電池１３０の充放電特性の一例である。曲線ｇ１０１に示す例では、容量ｃ１のときの電圧値が２．６［Ｖ］であり、容量ｃ１から容量ｃ２までの電圧値が２．６［Ｖ］から２．４［Ｖ］急速に下がることを表している。そして、曲線ｇ１０１に示す例では、容量ｃ２から容量ｃ３までの電圧値は、２．４［Ｖ］から２．３［Ｖ］徐々に下がり、容量ｃ３以降の電圧値が２．３［Ｖ］からさらに下がることを表している。
【００３７】
図１に戻って、心拍計測装置１００の説明を続ける。
通信部１５０は、制御部１４５の制御に基づいて、所定の時間間隔毎に、心拍数を示す情報、二次電池１３０の満充電状態から放電を開始した場合の経過時間を示す情報、および心拍計測装置１００の識別情報を関連付けた情報３００を、アンテナ１６０を介して電子時計２００に送信する。
アンテナ１６０は、通信部１５０が出力する２．４［ＧＨｚ］帯の電気信号を電波として空間に送信する。
【００３８】
次に、充放電制御部１２０の構成例について説明する。
図５は、本実施形態に係る充放電制御部１２０の構成を示すブロック図である。図５に示すように、充放電制御部１２０は、ダイオード１２１、スイッチ１２２、過充電防止制御部１２３、スイッチ１２４、電圧検出部１２５およびＢＯＲ（Ｂｒｏｗｎ−ｏｕｔ  Ｒｅｓｅｔ；ブラウンアウトリセット）１２６を備える。
【００３９】
ダイオード１２１は、逆流防止のため挿入されている。ダイオード１２１のアノードには、太陽電池１１０の例えば正極と、スイッチ１２２の一方端ｂが接続される。ダイオード１２１のカソードには、スイッチ１２４の一方端ｃと、過充電防止制御部１２３の入力端と、電圧検出部１２５の入力端と、ＢＯＲ１２６の入力端と、二次電池１３０の例えば正極とが接続されている。
【００４０】
スイッチ１２２の他方端ａは、接地されている。スイッチ１２２の制御端子には過充電防止制御部１２３の出力端が接続されている。スイッチ１２２は、過充電防止制御部１２３から入力される制御信号に応じてオン状態とオフ状態に切り替わる。スイッチ１２２がオン状態のとき太陽電池１１０を短絡し、スイッチ１２２がオフ状態のとき二次電池１３０の充電が行われる。
【００４１】
過充電防止制御部１２３は、入力端に接続された二次電池１３０の正極の電圧値を監視する。過充電防止制御部１２３は、電圧値が第１の所定値以上になった場合、二次電池１３０への過充電を防止するために、スイッチ１２２をオン状態にする制御信号を生成し、生成した制御信号をスイッチ１２２の制御端子に出力する。過充電防止制御部１２３は、電圧値が第１の所定値未満の場合、二次電池１３０への充電を行うために、スイッチ１２２をオフ状態にする制御信号を生成し、生成した制御信号をスイッチ１２２の制御端子に出力する。
【００４２】
スイッチ１２４の他方端ｄは、装着検出部１４３、心拍検出部１４４、制御部１４５、カウンタ部１４７、および通信部１５０それぞれの電源端子に接続されている。スイッチ１２４は、電圧検出部１２５から入力される制御信号に応じてオン状態とオフ状態に切り替わる。スイッチ１２４は、オン状態のとき二次電池１３０に充電されている電力を、装着検出部１４３、心拍検出部１４４、制御部１４５、カウンタ部１４７、および通信部１５０に供給する。
【００４３】
電圧検出部１２５は、二次電池１３０の正極の電圧値を検出し、検出した電圧値を示す情報を制御部１４５に出力する。また、電圧検出部１２５は、検出した電圧値が第２の所定値以下になった場合、負荷への電力の供給を停止するため、スイッチ１２４をオフ状態に制御する制御信号を生成し、生成した制御信号をスイッチ１２４に出力する。また、電圧検出部１２５は、検出した電圧値が第２の所定値より高い電圧値の場合、電力を負荷に供給するため、スイッチ１２４をオン状態に制御する制御信号を生成し、生成した制御信号をスイッチ１２４に出力する。
【００４４】
ＢＯＲ１２６は、二次電池１３０の電圧値を監視し、電圧値が第３の所定値未満になった場合、強制リセット信号を生成し、生成した強制リセット信号を制御部１４５に出力する。なお、第３の所定値は、スレッショルド電圧であり、電圧幅を有している。ＢＯＲ１２６は、二次電池１３０の電圧が第３の所定値以上の電圧に戻ってから予め定められている時間後に強制リセットを解除する。
【００４５】
次に、二次電池１３０の満充電状態から放電を開始した場合の経過時間の算出方法について説明する。
制御部１４５には、電圧検出部１２５から電圧値を示す情報が入力される。制御部１４５は、記憶部１４６に記憶されている負荷の消費電流を示す情報、二次電池１３０の充放電特性を示す情報を読み出す。制御部１４５は、二次電池１３０の充放電特性を示す情報に、電圧値を示す情報を参照して、容量［ｍＡｈ］を推定する。例えば、電圧値が２．６［Ｖ］であれば、容量はｃ１［ｍＡｈ］である。
次に、制御部１４５は、次式（１）を用いて、経過時間を算出する。
【００４６】
経過時間＝容量［ｍＡｈ］／消費電流［ｍＡ］  …（１）
【００４７】
制御部１４５は、この処理によって、取得した二次電池１３０の正極の電圧値を用いて、二次電池１３０の経過時間を推定することができる。
なお、制御部１４５は、この計算を、例えば通信部１５０が通信を行っていないときに行うようにしてもよい。また、制御部１４５は、この計算を、例えば１分間隔で行う。
【００４８】
図１に戻って、電子時計２００の説明を行う。
電子時計２００は、電源部２１０、アンテナ２１５、通信部２２０、発振部２２５、分周部２３０、制御部２３５、入力部２４０、表示部２４５、記憶部２５０、および報知部２５５を含んで構成されている。
【００４９】
電源部２１０は、電子時計２００が備える構成要素のそれぞれに電力を供給する。電源部２１０は、例えば一次電池と定電圧回路から構成されている。
通信部２２０は、心拍計測装置１００から送信される情報３００を、アンテナ２１５を介して受信し、受信した情報３００を制御部２３５に出力する。
【００５０】
発振部２２５は、水晶振動子を備え、水晶振動子の振動に基づいた所定周波数（例えば３２［ｋＨｚ］）の発振クロック信号を発生させる。発振部２２５は、発生させた発振信号を分周部２３０に出力する。
分周部２３０は、発振部２２５から入力された発振信号を分周して計時に用いられる基準信号を生成する。基準信号の駆動周波数は、例えば１［Ｈｚ］である。分周部２３０は、生成した基準信号を制御部２３５に出力する。
【００５１】
制御部２３５は、電子時計２００が備える構成要素のそれぞれを制御する。また、制御部２３５は、心拍計測装置１００から受信した情報３００に含まれる心拍数を示す情報に基づいて、心拍数を表示部２４５に表示させる。制御部２３５は、心拍計測装置１００から送信された情報３００に含まれる二次電池１３０の経過時間を示す情報と、記憶部２５０に記憶されている心拍計測装置１００の二次電池１３０が電力を供給する負荷の消費電流の値を用いて、二次電池１３０の残りの容量を残量として推定する。なお、制御部２３５は、消費電流［ｍＡ］に経過時間［ｈ］を乗じることで容量［ｍＡｈ］を算出する。制御部２３５は、推定した二次電池１３０の残量を、利用者の操作に応じて表示部２４５に表示させる。または、制御部２３５は、推定した二次電池１３０の残量が所定の値以下になったとき、二次電池１３０の残量が所定の値以下になったことを示す情報を表示部２４５に表示させる。
【００５２】
表示部２４５は、情報を表示する装置である。表示部２４５は、一例として液晶表示装置（ＬＣＤ）によって構成される。表示部２４５には、心拍数の表示以外に、例えば時刻が表示される。
入力部２４０は、利用者からの操作入力を検出し、検出した操作入力された結果に基づく情報を制御部２３５に出力する。
【００５３】
記憶部２５０には、心拍計測装置１００の二次電池１３０が電力を供給する負荷の消費電流の値、心拍計測装置１００の識別情報が記憶されている。
【００５４】
次に、心拍計測装置１００の動作処理について説明する。
図６は、心拍計測装置１００の動作処理の手順のフローチャートである。
（ステップＳ１）制御部１４５は、装着検出部１４３から入力された装着検出信号に基づいて、心拍計測装置１００が装着状態であるか否かを検出する。制御部１４５は、心拍計測装置１００が装着状態であることを検出した場合（ステップＳ１；ＹＥＳ）、ステップＳ２に処理を進め、非装着状態であることを検出した場合（ステップＳ１；ＮＯ）、ステップＳ１に処理を繰り返す。
【００５５】
（ステップＳ２）制御部１４５は、当該制御部１４５および通信部１５０をスリープ状態から復帰するように制御する。続けて、制御部１４５は、心拍検出部１４４から出力される心電信号のパルス間隔に応じて心拍数を算出する。制御部１４５は、ステップＳ３に処理を進める。
（ステップＳ３）制御部１４５は、電圧検出部１２５が出力する二次電池１３０の電圧値を示す情報を、所定の時間間隔毎に取得する。制御部１４５は、ステップＳ４に処理を進める。
【００５６】
（ステップＳ４）制御部１４５は、取得した二次電池１３０の電圧値を示す情報と、記憶部１４６に記憶されている二次電池１３０の充放電特性とに基づき、二次電池１３０の満充電状態から放電を開始した場合の経過時間を算出する。続けて、制御部１４５は、算出した経過時間を示す情報と心拍計測装置１００の識別情報とを、通信部１５０に出力する。制御部１４５は、ステップＳ５に処理を進める。
【００５７】
（ステップＳ５）通信部１５０は、制御部１４５の制御に基づいて、所定の時間間隔毎に、心拍数を示す情報、経過時間を示す情報、および心拍計測装置１００の識別情報を関連付けた情報３００を、アンテナ１６０を介して電子時計２００に送信する。制御部１４５は、情報３００を送信後、ステップＳ１に処理を戻す。
【００５８】
なお、図６に示した例では、通信部１５０が、所定の時間間隔毎に、心拍数を示す情報、経過時間を示す情報、および心拍計測装置１００の識別情報を関連付けた情報３００を、アンテナ１６０を介して電子時計２００に送信する例を説明したが、これに限られない。通信部１５０は、心拍数を示す情報に識別情報を関連付けた情報３００を、第１の所定間隔で送信し、経過時間を示す情報に識別情報を関連付けた情報３００を、第２の所定間隔で送信するようにしてもよい。
【００５９】
また、本実施形態では、電子時計２００の記憶部２５０に、心拍計測装置１００の二次電池１３０が電力を供給する負荷の消費電流の値が記憶されている例を説明したが、これに限られない。記憶部２５０には、図７に示すような経過時間に対する心拍計測装置１００の二次電池１３０の電圧値の関係を示す情報が記憶されていてもよい。この場合、制御部２３５は、心拍計測装置１００から送信された情報３００に含まれる二次電池１３０の経過時間を示す情報と、記憶部２５０に記憶されている経過時間に対する心拍計測装置１００の二次電池１３０の電圧値の関係を示す情報を用いて、二次電池１３０の電圧値を残量として推定する。制御部２３５は、推定した二次電池１３０の残量を、推定を利用者の操作に応じて表示部２４５に表示させる。
【００６０】
図７は、本実施形態に係る電子時計２００の記憶部２５０に記憶される心拍計測装置１００の二次電池１３０の充放電特性の一例を示す図である。図７において、横軸は時刻［分］、縦軸は二次電池１３０の電圧値［Ｖ］である。曲線ｇ１１１は、二次電池１３０の充放電特性の一例である。曲線ｇ１１１に示す例では、時刻ｔ１のときの電圧値が２．６［Ｖ］であり、時刻ｔ１から時刻ｔ２までの電圧値が２．６［Ｖ］から２．４［Ｖ］急速に下がることを表している。そして、曲線ｇ１１１に示す例では、時刻ｔ２から時刻ｔ３までの電圧値は、２．４［Ｖ］から２．３［Ｖ］徐々に下がり、時刻ｔ３以降の電圧値が２．３［Ｖ］からさらに下がることを表している。
【００６１】
さらに、記憶部２５０には、図４に示した心拍計測装置１００の記憶部１４６に記憶される二次電池１３０の充放電特性も記憶されていてもよい。この場合、制御部２３５は、図７の特性を用いて電圧値を算出した後、算出した電圧値と、記憶部２５０に記憶されている図４の二次電池１３０の充放電特性を用いて、残りの容量を残量として算出するようにしてもよい。
【００６２】
なお、本実施形態では、電子時計２００の記憶部２５０に予め心拍計測装置１００の消費電流を示す値が記憶されている例を説明したが、これに限られない。
記憶部２５０には、複数の心拍計測装置１００それぞれの識別情報と、その識別情報に対応する心拍計測装置１００の消費電流が関連付けられて記憶されていてもよい。
また、心拍計測装置１００の制御部１４５は、心拍計測装置１００の消費電流と識別情報とを関連付けて、電子時計２００に送信するようにしてもよい。そして、電子時計２００の制御部２３５は、受信した情報から消費電流と識別情報とを抽出し、抽出した消費電流と識別情報とを関連付けて、記憶部２５０に記憶させるようにしてもよい。
【００６３】
また、本実施形態では、制御部１４５が電圧検出部が出力する電圧値を示す情報を、所定の時間間隔毎に取得する例を説明したが、これに限られない。電圧検出部１２５は、二次電池１３０の正極の電圧値を検出し、検出した電圧値を示す情報を制御部１４５に、所定の時間間隔毎に出力するようにしてもよい。
【００６４】
（ＡＮＴ＋通信方式で二次電池１３０の満充電状態から放電を開始した場合の経過時間を送信する方法の説明）
ＡＮＴ＋通信方式では、通信を行う装置に応じて、複数のプロファイルが用意されている。ここでは、ＨＥＡＲＴ  ＲＡＴＥ  ＭＯＮＩＴＲＯＲのプロファイルを用いる例を説明する。なお、ＨＥＡＲＴ  ＲＡＴＥ  ＭＯＮＩＴＲＯＲのプロファイルでは、利用者の胸部に装着する心拍計から電子時計への片方向の通信を想定している。また、ＨＥＡＲＴ  ＲＡＴＥ  ＭＯＮＩＴＲＯＲのプロファイルでは、心拍計の電池が一次電池の場合を想定している。
【００６５】
ＡＮＴ＋通信方式において、メッセージデータ（Ｍａｓｓａｇｅ  Ｄａｔａ）のページ１フォーマット（Ｐａｇｅ  １  Ｆｏｒｍｅｔ）では、一次電池が交換されてからの経過時間を示す情報を、Ｃｕｍｕｌａｔｉｖｅ  Ｏｐｅｒａｔｉｎｇ  Ｔｉｍｅの３バイトを用いて送信することができる。この情報は、例えばカウンタ部１４７が例えば２秒毎にカウントしたカウント値である。
ＡＮＴ＋通信方式による情報を受信する電子時計は、心拍計測装置が一次電池を備えていることを想定しているため、受信した経過時間にもとづいて、心拍計測装置に内蔵された一次電池の残量を算出することになる。
【００６６】
一方、図１に示した心拍計測装置１００では、太陽電池１１０と二次電池１３０とを備えている。このような心拍計測装置１００では、例えば、太陽電池１１０による発電量の不足によって二次電池１３０の電圧値が所定の電圧値（例えば２．３Ｖ以下）未満になると、制御部１４５およびカウンタ部１４７は、ＢＯＲ１２６によって強制リセットされる。これにより、心拍計測装置１００がＡＮＴ＋通信方式で通信を行う場合、Ｃｕｍｕｌａｔｉｖｅ  Ｏｐｅｒａｔｉｎｇ  Ｔｉｍｅの値もリセットされることになる。二次電池１３０の電圧値が所定の電圧値以上になると、制御部１４５は復帰する。復帰後、仮に、制御部１４５がカウンタ部１４７のカウント値を電池交換後の経過時間として、ＡＮＴ＋通信方式による情報を受信する電子時計に送信した場合、カウント値は、復帰後の経過時間であり、電子時計は、この経過時間に基づいて一次電池の残量を算出してしまうことになる。この結果、心拍計測装置１００は、カウンタ部１４７によってカウントされたカウント値を経過時間としてＡＮＴ＋通信方式による情報を受信する電子時計に送信しても、この電子時計は、二次電池１３０の残りの容量または電圧値を推定することができなかった。
【００６７】
このため、本実施形態では、制御部１４５が、二次電池１３０の電圧値を検出し、検出した電圧値と、記憶部１４６に記憶されている充放電特性とに基づいて、二次電池１３０の満充電状態から放電を開始した場合の経過時間を算出する。すなわち、心拍計測装置１００が送信する経過時間は、カウンタ部１４７でカウントした値ではなく、二次電池１３０の電圧値から計算されたものである。そして、制御部１４５は、このように算出した二次電池１３０の満充電状態から放電を開始した場合の経過時間を、前述したＣｕｍｕｌａｔｉｖｅ  Ｏｐｅｒａｔｉｎｇ  Ｔｉｍｅとして通信部１５０に出力する。通信部１５０は、心拍数を示す情報、二次電池１３０の満充電状態から放電を開始した場合の経過時間を示す情報、および識別情報を関連づけた情報３００を、制御部１４５の制御によってアンテナ１６０を介して電子時計２００へ送信する。なお、識別情報には、製造者識別子（Ｍａｎｕｆａｃｔｕｒｅｒ  ＩＤ）、ハードウェアバージョン（Ｈａｒｄｗａｒｅ  Ｖｅｒｓｉｏｎ）、製品の型番（Ｍｏｄｅｌ  Ｎｕｍｂｅｒ）が含まれている。
【００６８】
以上のように、本実施形態の情報計測装置（例えば心拍計測装置１００）は、電子機器（例えば電子時計２００）と通信する情報計測装置であって、電子機器と通信を行う第１通信部（例えば通信部１５０）と、発電素子（例えば太陽電池１１０）と、発電素子によって発電された電力によって充電される二次電池１３０と、二次電池の充放電特性が記憶されている第１記憶部（例えば記憶部１４６）と、二次電池の電圧値を検出する電圧検出部１２５と、検出された二次電池の電圧値と、第１記憶部に記憶されている充放電特性とに基づいて、二次電池の満充電状態から放電を開始した場合の経過時間を算出し、算出した経過時間を示す情報を第１通信部から電子機器に送信するように制御する第１制御部（例えば制御部１４５）と、を備える。
【００６９】
この構成によって、本実施形態の心拍計測装置１００は、二次電池１３０の電圧値に基づいて経過時間を算出して、算出した経過時間を示す情報を電子時計２００へ送信することができる。この経過時間は二次電池の満充電状態から放電を開始した場合の経過時間である。本実施形態によれば、送信側である心拍計測装置１００の二次電池１３０の電圧が所定の電圧以下になった後に電圧が復帰したことを、受信側である電子時計２００は、経過時間に基づいて検出することができる。
【００７０】
また、本実施形態の情報計測装置（例えば心拍計測装置１００）において、充放電特性は、二次電池１３０の電圧値と容量との関係を表した特性である。
また、本実施形態の情報計測装置（例えば心拍計測装置１００）において、第１記憶部（例えば記憶部１４６）には、情報計測装置の消費電流を示す値が記憶され、第１制御部（例えば制御部１４５）は、検出された二次電池１３０の電圧値と、第１記憶部に記憶されている充放電特性とに基づいて、二次電池の容量を算出し、算出した二次電池の容量を第１記憶部に記憶されている消費電流で除算して前記経過時間を算出する。
【００７１】
この構成によって、本実施形態の心拍計測装置１００は、二次電池１３０の電圧値に基づいて二次電池の満充電状態から放電を開始した場合の経過時間を算出することができる。
【００７２】
また、本実施形態の電子機器（例えば電子時計２００）において、情報計測装置（例えば心拍計測装置１００）の消費電流を示す値が記憶されている第２記憶部（例えば記憶部２５０）と、情報計測装置と通信を行う第２通信部（例えば通信部２２０）と、第２通信部を介して受信した経過時間を示す情報と、第２記憶部に記憶されている情報計測装置の消費電流を示す値とに基づいて、情報計測装置が備える二次電池１３０の残量を算出し、算出した二次電池の残量を報知する第２制御部（例えば制御部２３５）と、を備える。
【００７３】
この構成によって、本実施形態の電子時計２００は、心拍計測装置１００から受信した情報３００に含まれる経過時間を示す情報と、記憶部２５０に記憶されている心拍計測装置１００の消費電流とに基づいて、心拍計測装置１００が備える二次電池１３０の残量を算出することができる。
【００７４】
なお、本実施形態では、心拍計測装置１００から電子時計２００へ、ＡＮＴまたはＡＮＴ＋通信方式を用いて通信を行う例を説明したが、これに限られない。通信方式は、例えば、Ｂｌｕｅｔｏｏｔｈ（登録商標）  ＬＥ（Ｌｏｗ  Ｅｎｅｒｇｙ）（以下、ＢＬＥという）規格の通信方式を用いるようにしてもよい。この場合であっても、心拍計測装置１００は、二次電池１３０の電圧値に基づいて算出した二次電池１３０の満充電状態から放電を開始した場合の経過時間を示す情報を、通信部１５０を制御して電子時計２００に送信するようにしてもよい。この場合、心拍計測装置１００の通信部１５０は情報の送受信を行い、電子時計２００の通信部２２０は情報の送受信を行うようにしてもよい。
【００７５】
なお、本実施形態では、心拍計測装置１００が太陽電池１１０と二次電池１３０とを備える例を説明したが、心拍計測装置１００は、一次電池を備えていてもよい。
【００７６】
＜第２実施形態＞
【００７７】
図８は、本実施形態に係る２つの情報計測装置と電子機器とを含んだ心拍計測システム１Ａの構成を示すブロック図である。本実施形態では、情報計測装置の一例として、心拍計測装置１００、心拍計測装置１００Ａを例に説明する。また、心拍計測システム１Ａにおいて、情報計測装置と通信する電子機器の例として、電子時計２００Ａを例に説明する。なお、電子機器は、例えば、スマートフォン、タブレット端末、携帯ゲーム機器等であってもよい。
【００７８】
第１実施形態では、心拍計測装置１００が、二次電池１３０の満充電状態から放電を開始した場合の経過時間を示す情報を電子時計２００に送信する例を説明した。本実施形態では、心拍計測装置１００が、二次電池１３０の満充電状態から放電を開始した場合の経過時間を示す情報を電子時計２００Ａに送信し、心拍計測装置１００Ａが、一次電池１８０が交換されてからの経過時間を示す情報を電子時計２００Ａに送信する例を説明する。
【００７９】
心拍計測システム１Ａは、心拍計測装置１００、心拍計測装置１００Ａ、および電子時計２００Ａで構成される。心拍計測装置１００は、電子時計２００Ａへ情報３００の送信を行う。また、心拍計測装置１００Ａは、電子時計２００Ａへ情報３００Ａの送信を行う。心拍計測装置１００の構成は、第１実施形態の図１を用いた構成と同じである。また、図１を用いて説明した心拍計測装置１００および電子時計２００を同じ機能を有する機能部については、同じ符号を用いて、説明を省略する。
なお、本実施形態では、通信方式として、２．４［ＧＨｚ］帯を用いるＡＮＴまたはＡＮＴ＋規格の通信方式を例に説明する。
【００８０】
図８に示すように、心拍計測装置１００Ａは、計測部１４０Ａ、通信部１５０およびアンテナ１６０、および一次電池１８０を備える。計測部１４０Ａは、電極１４１、電極１４２、装着検出部１４３、心拍検出部１４４、制御部１４５Ａ、記憶部１４６Ａ、およびカウンタ部１４７を含んで構成されている。
【００８１】
一次電池１８０は、電力を装着検出部１４３、心拍検出部１４４、制御部１４５Ａ、カウンタ部１４７、および通信部１５０に電力を供給する。一次電池１８０は、例えば３［Ｖ］のコインリチウム電池である。
【００８２】
制御部１４５Ａは、装着検出部１４３から入力された装着検出信号に基づいて、心拍計測装置１００が装着状態であるか否かを検出する。制御部１４５Ａは、装着状態が検出されたとき、当該制御部１４５Ａおよび通信部１５０をスリープ状態から復帰するように制御する。制御部１４５Ａは、装着状態が検出されている間、心拍検出部１４４から出力される心電信号のパルス間隔に応じて心拍数を算出する。制御部１４５Ａは、装着状態が検出されている間、算出した心拍数を示す情報を通信部１５０へ出力する。
【００８３】
また、制御部１４５Ａは、一次電池１８０が交換されたとき、カウンタ部１４７のカウント値をリセットする。制御部１４５Ａは、カウンタ部１４７が出力するカウント値を、一次電池１８０が交換されてからの経過時間を示す情報として、通信部１５０へ出力する。制御部１４５Ａは、装着状態が検出されている間、通信部１５０およびアンテナ１６０を介して、算出した心拍数を示す情報、一次電池１８０が交換されてからの経過時間を示す情報、および識別情報を関連づけた情報３００Ａを、所定の時間間隔毎に電子時計２００Ａへの送信を行う。
さらに、制御部１４５Ａは、カウンタ部１４７のカウント値を用いて所定の時間以上、心拍計測装置１００Ａの非装着状態が継続したことを検出した場合、当該制御部１４５Ａ、通信部１５０がスリープ状態になるように制御する。
【００８４】
記憶部１４６Ａには、心拍計測装置１００Ａの製品の型番、製造者識別子（ＩＤ）、およびハードウェアバージョン番号等が関連づけられて記憶されている。
【００８５】
次に、電子時計２００Ａの説明を行う。
電子時計２００Ａは、電源部２１０、アンテナ２１５、通信部２２０、発振部２２５、分周部２３０、制御部２３５Ａ、入力部２４０、表示部２４５、記憶部２５０Ａ、および報知部２５５を含んで構成されている。
電子時計２００Ａは、心拍計測装置１００から情報３００、または心拍計測装置１００Ａから情報３００Ａを、受信する。
【００８６】
制御部２３５Ａは、電子時計２００Ａが備える構成要素のそれぞれを制御する。また、制御部２３５Ａは、心拍計測装置１００から受信した情報３００または心拍計測装置１００Ａから受信した情報３００Ａに含まれる心拍数を示す情報に基づいて、心拍数を表示部２４５に表示させる。制御部２３５Ａは、心拍計測装置１００から送信された情報３００に含まれる二次電池１３０の経過時間を示す情報と、記憶部２５０Ａに記憶されている心拍計測装置１００の二次電池１３０が電力を供給する負荷の消費電流の値を用いて、二次電池１３０の残りの容量を残量として推定する。制御部２３５Ａは、心拍計測装置１００Ａから送信された情報３００Ａに含まれる一次電池１８０が交換されてからの経過時間を示す情報と、記憶部２５０Ａに記憶されている経過時間と一次電池１８０の残量の関係に基づいて、一次電池１８０の残りの容量を残量として推定する。制御部２３５Ａは、推定した二次電池１３０の残量または一次電池１８０を、推定を利用者の操作に応じて表示部２４５に表示させる。または、制御部２３５Ａは、推定した二次電池１３０または一次電池１８０それぞれの残量が所定の値以下になったとき、二次電池１３０または一次電池１８０それぞれの残量が所定の値以下になったことを示す情報を表示部２４５に表示させる。
【００８７】
記憶部２５０Ａには、心拍計測装置１００の二次電池１３０が電力を供給する負荷の消費電流の値が記憶されている。また、記憶部２５０Ａには、経過時間と一次電池１８０の残量の関係が記憶されている。また、記憶部２５０Ａには、経過時間として二次電池１３０の経過時間を示す情報を送信してくる心拍計測装置１００のみの識別情報が記憶されている。
【００８８】
心拍計測装置１００の動作処理の手順は、図６と同様である。
次に、心拍計測装置１００Ａの動作処理の手順の例を説明する。
制御部１４５Ａは、装着検出部１４３から入力された装着検出信号に基づいて、心拍計測装置１００Ａが装着状態であるか否かを検出する。制御部１４５Ａは、心拍計測装置１００Ａが装着状態であることを検出したとき、当該制御部１４５Ａおよび通信部１５０をスリープ状態から復帰するように制御する。制御部１４５Ａは、心拍計測装置１００Ａが装着状態である間、心拍検出部１４４から出力される心電信号のパルス間隔に応じて心拍数を算出する。次に、制御部１４５Ａは、一次電池１８０が交換されてからの経過時間をカウンタ部１４７がカウントしたカウント値に基づいて算出する。続けて、制御部１４５Ａは、心拍数を示す情報、一次電池１８０が交換されてからの経過時間を示す情報、および識別情報を関連付けた情報３００Ａを、所定の時間間隔毎に、通信部１５０を制御してアンテナ１６０を介して電子時計２００Ａに送信する。
【００８９】
次に、電子時計２００Ａの動作処理について説明する。
図９は、本実施形態に係る電子時計２００Ａの動作処理の手順のフローチャートである。
（ステップＳ１０１）制御部２３５Ａは、心拍計測装置１００が送信した情報３００、または心拍計測装置１００Ａが送信した情報３００Ａを、アンテナ２１５と通信部２２０を介して取得する。制御部２３５Ａは、ステップＳ１０２に処理を進める。
【００９０】
（ステップＳ１０２）制御部２３５Ａは、取得した情報３００または情報３００Ａに含まれる心拍数を示す情報を抽出する。制御部２３５Ａは、ステップＳ１０３に処理を進める。
（ステップＳ１０３）制御部２３５Ａは、ステップＳ１０２で抽出した心拍数を示す情報に基づいて、心拍数を表示部２４５に表示させる。制御部２３５Ａは、ステップＳ１０４に処理を進める。
【００９１】
（ステップＳ１０４）制御部２３５Ａは、取得した情報３００または情報３００Ａに含まれる経過時間を示す情報と識別情報とを抽出する。制御部２３５Ａは、ステップＳ１０４に処理を進める。
（ステップＳ１０５）制御部２３５Ａは、ステップＳ１０４で抽出した識別情報が記憶部２５０Ａに記憶されているか否か判別する。制御部２３５Ａは、抽出した識別情報が記憶部２５０Ａに記憶されていると判別した場合（ステップＳ１０５；ＹＥＳ）、ステップＳ１０６に処理を進め、抽出した識別情報が記憶部２５０Ａに記憶されていないと判別した場合（ステップＳ１０５；ＮＯ）、ステップＳ１０７に処理を進める。
【００９２】
（ステップＳ１０６）制御部２３５Ａは、ステップＳ１０４で抽出した経過時間を二次電池１３０の満充電状態から放電を開始した場合の経過時間を示す情報であると決定する。続けて、制御部２３５Ａは、経過時間と、記憶部２５０Ａに記憶されている心拍計測装置１００の二次電池１３０が電力を供給する負荷の消費電流の値とに基づいて、二次電池１３０の残量を算出する。制御部２３５Ａは、ステップＳ１０８に処理を進める。
【００９３】
（ステップＳ１０７）制御部２３５Ａは、ステップＳ１０４で抽出した経過時間を一次電池１８０が交換されてからの経過時間を示す情報であると決定する。続けて、制御部２３５Ａは、経過時間と、記憶部２５０Ａに記憶されている経過時間と一次電池１８０の残量の関係とに基づいて、一次電池１８０の残量を算出する。制御部２３５Ａは、ステップＳ１０８に処理を進める。
【００９４】
（ステップＳ１０８）制御部２３５Ａは、ステップＳ１０６またはステップＳ１０７で算出された二次電池１３０の残量または一次電池１８０の残量を電池の残量として表示部２４５に表示させる。
電子時計２００Ａは、以上の処理を、心拍計測装置１００が送信した情報３００、または心拍計測装置１００Ａが送信した情報３００Ａを、アンテナ２１５と通信部２２０を介して取得する毎に行う。
【００９５】
なお、本実施形態では、電子時計２００Ａの記憶部２５０Ａに、経過時間として二次電池１３０の経過時間を示す情報を送信してくる心拍計測装置１００のみの識別情報が記憶されている例を説明したが、これに限られない。記憶部２５０Ａには、複数の識別情報が記憶されていてもよい。そして、記憶部２５０Ａには、複数の識別装置それぞれが送信する経過時間が、一次電池が交換されてからの経過時間を示す情報であることを示す情報、または二次電池１３０の満充電状態から放電を開始した場合の経過時間を示す情報であることを示す情報のうち一方の情報と関連付けられて記憶されていてもよい。
【００９６】
また、本実施形態において、心拍計測装置１００Ａの制御部１４５Ａが、識別情報、消費電流を示す情報、および一次電池が交換されてからの経過時間を示す情報を送信することを示す情報を関連付けて送信するようにしてもよい。また、心拍計測装置１００の制御部１４５が、識別情報、消費電流を示す情報、およびは二次電池１３０の満充電状態から放電を開始した場合の経過時間を示す情報を送信することを示す情報を関連付けて送信するようにしてもよい。そして、電子時計２００Ａの制御部１４５Ａは、心拍計測装置１００Ａおよび心拍計測装置１００Ａから受信した情報の組を、記憶部２５０Ａに記憶させるようにしてもよい。
【００９７】
（ＡＮＴ＋通信方式で二次電池１３０の満充電状態から放電を開始した場合の経過時間、一次電池１８０が交換されてからの経過時間を示す情報を送信する方法の説明）
第１実施形態の電子時計２００の制御部２３５は、受信した情報３００に含まれているＣｕｍｕｌａｔｉｖｅ  Ｏｐｅｒａｔｉｎｇ  Ｔｉｍｅだけでは、一次電池が交換されてからの経過時間を示す情報であるか、二次電池１３０の満充電状態から放電を開始した場合の経過時間を示す情報であるかを判別することができない。
このため、本実施形態では、電子時計２００Ａの記憶部２５０Ａに、予め二次電池１３０の満充電状態から放電を開始した場合の経過時間を示す情報をＣｕｍｕｌａｔｉｖｅ  Ｏｐｅｒａｔｉｎｇ  Ｔｉｍｅとして送信する心拍計測装置１００の識別情報を記憶させておく。これにより、第２実施形態の電子時計２００Ａの制御部２３５Ａは、記憶部２５０Ａに記憶されている識別子に基づいて、一次電池が交換されてからの経過時間を示す情報であるか、二次電池１３０の満充電状態から放電を開始した場合の経過時間を示す情報であるかを判別することができる。
【００９８】
心拍計測装置１００の制御部１４５は、二次電池１３０の電圧値を検出し、検出した電圧値と、記憶部１４６に記憶されている充放電特性とに基づいて、二次電池１３０の満充電状態から放電を開始した場合の経過時間を算出する。続けて、制御部１４５は、このように算出した二次電池１３０の満充電状態から放電を開始した場合の経過時間を、前述したＣｕｍｕｌａｔｉｖｅ  Ｏｐｅｒａｔｉｎｇ  Ｔｉｍｅとして通信部１５０に出力する。通信部１５０は、心拍数を示す情報、二次電池１３０の満充電状態から放電を開始した場合の経過時間を示す情報、および識別情報を関連づけた情報３００を、制御部１４５の制御によってアンテナ１６０を介して電子時計２００へ送信する。
【００９９】
心拍計測装置１００Ａの制御部１４５Ａは、カウンタ部１４７カウントしたカウント値に基づいて一次電池１８０が交換されてからの経過時間を算出する。続けて、制御部１４５Ａは、算出した一次電池１８０が交換されてからの経過時間を、前述したＣｕｍｕｌａｔｉｖｅ  Ｏｐｅｒａｔｉｎｇ  Ｔｉｍｅとして通信部１５０に出力する。通信部１５０は、心拍数を示す情報、一次電池１８０が交換されてからの経過時間を示す情報、および識別情報を関連づけた情報３００Ａを、制御部１４５Ａの制御によってアンテナ１６０を介して電子時計２００へ送信する。
【０１００】
電子時計２００Ａの制御部２３５Ａは、受信した情報３００または情報３００Ａから、識別情報を抽出する。続けて、制御部２３５Ａは、抽出した識別情報が記憶部２５０Ａに記憶されているか否かを判別する。そして、制御部２３５Ａは、記憶部２５０Ａに抽出した識別情報が記憶されている場合、情報３００に含まれるＣｕｍｕｌａｔｉｖｅ  Ｏｐｅｒａｔｉｎｇ  Ｔｉｍｅを、二次電池１３０の満充電状態から放電を開始した場合の経過時間を示す情報であると判別する。また、制御部２３５Ａは、記憶部２５０Ａに抽出した識別情報が記憶されていない場合、情報３００Ａに含まれるＣｕｍｕｌａｔｉｖｅ  Ｏｐｅｒａｔｉｎｇ  Ｔｉｍｅを、一次電池が交換されてからの経過時間を示す情報であると判別する。そして、制御部２３５Ａは、このように、判別した結果に応じて、Ｃｕｍｕｌａｔｉｖｅ  Ｏｐｅｒａｔｉｎｇ  Ｔｉｍｅから二次電池１３０の残量の算出、または、一次電池を有する心拍計測装置における一次電池の残量を算出する。
【０１０１】
以上のように、本実施形態の電子機器（例えば電子時計２００Ａ）において、第２記憶部（例えば記憶部２５０Ａ）には、経過時間を示す情報として、二次電池の満充電状態から放電を開始した場合の経過時間を送信する情報計測装置（例えば心拍計測装置１００）の識別情報が記憶され、第２制御部（例えば制御部２３５Ａ）は、第２通信部（例えば通信部２２０）を介して受信した情報から情報計測装置を識別するための識別情報を抽出し、抽出した識別情報が第２記憶部に記憶されている場合、第２通信部を介して受信した情報に含まれる経過時間を示す情報を、二次電池１３０の満充電状態から放電を開始した場合の経過時間を示す情報として決定する。
【０１０２】
この構成によって、本実施形態の電子時計２００Ａは、心拍計測装置１００から受信した情報３００に含まれる経過時間を二次電池１３０の満充電状態から放電を開始した場合の経過時間であると判別することができる。この結果、電子時計２００Ａは、二次電池１３０の満充電状態から放電を開始した場合の経過時間に基づいて、二次電池１３０の残量を算出することができる。
【０１０３】
また、本実施形態の電子機器（例えば電子時計２００Ａ）において、第２通信部（例えば通信部２２０）を介して受信した情報に含まれる経過時間を送信する第１の情報計測装置（例えば心拍計測装置１００）と、一次電池が交換されてからの経過時間を送信する第２の情報計測装置（例えば心拍計測装置１００Ａ）とのいずれかと通信する電子機器（例えば電子時計２００Ａ）であって、第２の情報計測装置は、電子機器と通信を行う第３通信部（例えば通信部１５０）と、第２の情報計測装置を識別するための識別情報が記憶されている第３記憶部（例えば記憶部１４６Ａ）と、一次電池１８０と、一次電池が交換されてからの時間を計測するカウンタ部１４７と、カウンタ部によって計測されたカウント値に基づいて、一次電池が交換されてからの経過時間を算出し、算出した経過時間を示す情報を第３通信部から電子機器に送信するように制御する第３制御部（例えば制御部１４５Ａ）と、を備え、第２制御部（例えば制御部２３５Ａ）は、第２通信部を介して受信した情報から情報計測装置を識別するための識別情報を抽出し、抽出した識別情報が第２記憶部（例えば記憶部２５０Ａ）に記憶されていない場合、第２通信部を介して受信した情報に含まれる経過時間を示す情報を、一次電池が交換されてからの経過時間を示す情報として決定する。
【０１０４】
この構成によって、本実施形態の電子時計２００Ａは、心拍計測装置１００Ａから受信した情報３００Ａに含まれる経過時間を一次電池１８０が交換されてからの経過時間であると判別することができる。この結果、電子時計２００Ａは、一次電池１８０が交換されてからの経過時間に基づいて、一次電池１８０の残量を算出することができる。
【０１０５】
なお、本実施形態では、心拍計測装置１００および心拍計測装置１００Ａから電子時計２００Ａへ、ＡＮＴまたはＡＮＴ＋通信方式を用いて通信を行う例を説明したが、これに限られない。通信方式は、例えば、ＢＬＥ規格の通信方式を用いるようにしてもよい。この場合であっても、心拍計測装置１００は、二次電池１３０の電圧値に基づいて算出した二次電池１３０の満充電状態から放電を開始した場合の経過時間を示す情報を、通信部１５０を制御して電子時計２００Ａに送信するようにしてもよい。そして、心拍計測装置１００Ａは、一次電池が交換されてからの経過時間を示す情報を、通信部１５０を制御して電子時計２００Ａに送信するようにしてもよい。
【０１０６】
なお、上述した実施形態における心拍計測装置１００または１００Ａ、電子時計２００または２００Ａが備える構成要素のそれぞれの機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【０１０７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【符号の説明】
【０１０８】
１、１Ａ…心拍計測システム、１００、１００Ａ…心拍計測装置、１１０…太陽電池、１２０…充放電制御部、１２１…ダイオード、１２２…スイッチ、１２３…過充電防止制御部、１２４…スイッチ、１２５…電圧検出部、１２６…ＢＯＲ、１３０…二次電池、１４０、１４０Ａ…計測部、１４１、１４２…電極、１４３…装着検出部、１４４…心拍検出部、１４５…制御部、１４６、１４６Ａ…記憶部、１４７…カウンタ部、１５０…通信部、１６０…アンテナ、１７０…ベルト、１８０…一次電池、２００、２００Ａ…電子時計、２１０…電源部、２１５…アンテナ、２２０…通信部、２２５…発振部、２３０…分周部、２３５、２３５Ａ…制御部、２４０…入力部、２４５…表示部、２５０、２５０Ａ…記憶部、２５５…報知部、２７０…ベルト
【図１】
2016134995.tif 000003
【図２】
2016134995.tif 000004
【図３】
2016134995.tif 000005
【図４】
2016134995.tif 000006
【図５】
2016134995.tif 000007
【図６】
2016134995.tif 000008
【図７】
2016134995.tif 000009
【図８】
2016134995.tif 000010
【図９】
2016134995.tif 000011